(57)【特許請求の範囲】
【請求項１】
目標ブレーキ圧に応じた指示電流を算出する指示電流演算手段（１２）を有し、前記指示電流によってブレーキ駆動用アクチュエータ（６）を駆動することで、目標とする制動力を発生させるように構成された自動ブレーキ装置において、
車両の加速度および減速度を検出する加減速度検出手段（３）と、
前記加減速度検出手段によって検出された加速度および減速度の絶対値を演算する絶対値演算手段（９）とを備え、
車両が停止しているときに、前記絶対値演算手段によって演算された前記加速度および減速度の絶対値を前記指示電流演算手段にフィードバックし、前記加速度および減速度の絶対値に応じて前記指示電流を調整するようになっており、
さらに、前記加速度および減速度の絶対値を時間に対して積分する積分演算手段（１０）を備え、
前記指示電流演算手段は、前記積分演算手段による演算結果に応じて前記指示電流を調整するようになっていることを特徴とする自動ブレーキ装置。
【請求項２】
車両が平坦路で停止しているときに必要とされる基準ブレーキ圧を演算する初期ブレーキ圧演算手段（８）を有し、
車両が停止している場合には、前記初期ブレーキ圧演算手段で演算された基準ブレーキ圧に対して前記積分演算手段での演算結果を加えた値を前記目標ブレーキ圧として設定するようになっていることを特徴とする請求項１に記載の自動ブレーキ装置。
【請求項３】
前記指示電流演算手段は、前記加速度および減速度の絶対値が大きい程、前記指示電流を大きく設定するようになっていることを特徴とする請求項１または２に記載の自動ブレーキ装置。
【発明の詳細な説明】
【０００１】
【発明の属する技術分野】
本発明は、自動的にブレーキ動作を行う自動ブレーキ装置に関するもので、例えば、自動走行時におけるブレーキ制御に用いて好適である。
【０００２】
【従来の技術】
自動走行に用いられる自動ブレーキ装置としては、例えば、通電量に応じて電磁弁の開弁度を調整することでホイールシリンダ（以下、Ｗ／Ｃという）側に流動するブレーキ液量を調整するブレーキ装置や、ブレーキ駆動用アクチュエータ（例えば、ブレーキパッドをブレーキディスク方向に移動させるためのモータ）への通電によってブレーキ力を発生させる電気ブレーキ装置が用いられる。これらのブレーキ装置は、電磁弁もしくはブレーキ駆動用アクチュエータに対して決定された指示電流を供給することにより、その指示電流の大きさに応じたブレーキ力を発生させるようになっている。
【０００３】
このような構成の自動ブレーキ装置による自動走行時のブレーキ制御においては、例えば坂路で車両がずり落ちないように、平坦路に要求されるブレーキ出力よりも大きなブレーキ出力が設定され、平坦路、坂路いずれにおいても十分なブレーキ力が得られるようにされている。
【０００４】
【発明が解決しようとする課題】
しかしながら、平坦路、坂路の区別なくブレーキ出力を大きく設定していることから、ブレーキ部品の耐久性を低下させるという問題を発生させると共に、大きな指示電流が必要となって消費電力が増大するという問題を発生させる。
【０００５】
本発明は上記点に鑑みて、坂路でのずり落ちを防止しつつ、ブレーキ部品の耐久性の低下の問題や消費電力増大の問題を解決できる自動ブレーキ装置を提供することを目的とする。
【０００６】
【課題を解決するための手段】
上記目的を達成するため、請求項１に記載の発明では、目標ブレーキ圧に応じた指示電流を算出する指示電流演算手段（１２）を有し、指示電流によってブレーキ駆動用アクチュエータ（６）を駆動することで、目標とする制動力を発生させるように構成された自動ブレーキ装置において、車両の加速度および減速度を検出する加減速度検出手段（３）を備え、車両が停止しているときにおける加減速度検出手段の検出結果を指示電流演算手段にフィードバックし、加減速度検出手段での検出結果に応じて指示電流を調整するようになっていることを特徴としている。
【０００７】
このように、加減速度検出手段での検出結果を指示電流演算手段にフィードバックすることで、車両が停止している路面の勾配がフィードバックされ、路面が平坦路であるか坂路であるかに応じたブレーキ圧を発生させることができる。これにより、坂路でのずり落ちを防止しつつ、ブレーキ部品の耐久性の低下の問題や消費電力増大の問題を解決できる。
【０００８】
具体的には、加減速度検出手段によって検出された加速度および減速度の絶対値を演算する絶対値演算手段（９）を備え、車両が停止しているときに、絶対値演算手段によって演算された加速度および減速度の絶対値を指示電流演算手段にフィードバックし、加速度および減速度の絶対値に応じて指示電流を調整する。
また、請求項１に記載の発明においては、加速度および減速度の絶対値を時間に対して積分する積分演算手段（１０）を備え、指示電流演算手段は、積分演算手段による演算結果に応じて指示電流を調整するようになっていることを特徴としている。
このように、積分演算手段による演算結果に応じて指示電流を増大させるようにすることで、坂路の勾配に応じたブレーキ圧を設定することができる。
この場合、例えば、請求項２に示すように、車両が平坦路で停止しているときに必要とされる基準ブレーキ圧を演算する初期ブレーキ圧演算手段（８）を備え、車両が停止している場合に、初期ブレーキ圧演算手段で演算された基準ブレーキ圧に対して積分演算手段での演算結果を加えた値を目標ブレーキ圧として設定するようにしてもよい。
【０００９】
請求項３に記載の発明においては、指示電流演算手段により、加速度および減速度の絶対値が大きい程、指示電流を大きく設定することを特徴としている。加速度および減速度の絶対値は、坂路の勾配を示している。このため、この絶対値が大きくなる程、指示電流を大きくすることで、坂路の勾配に応じたブレーキ圧を設定することができる。
【００１２】
なお、上記各手段の括弧内の符号は、後述する実施形態に記載の具体的手段との対応関係を示すものである。
【００１３】
【発明の実施の形態】
（第１実施形態）
図１に、本発明の一実施形態における自動ブレーキ装置の概略構成を示す。以下、図１に基づき、本実施形態における自動ブレーキ装置の構成について説明する。
【００１４】
自動ブレーキ装置には、各車輪（左前輪ＦＬ、右前輪ＦＲ、左後輪ＲＬ、右後輪ＲＲ）１ａ、１ｂ、１ｃ、１ｄの車輪速度に対応した車輪速度信号を検出する車輪速度センサ２ａ、２ｂ、２ｃ、２ｄと、車両の前後方向の加速度に応じた信号を検出する加減速度検出手段としての加速度センサ３とが備えられている。
【００１５】
また、自動ブレーキ装置には、自動走行制御に用いられるクルーズコンピュータ４と、各車輪速度センサ２ａ〜２ｄや加速度センサ３からの検出信号およびクルーズコンピュータ４からの制御信号が入力されるブレーキ制御用電子制御装置（以下、ブレーキ制御用ＥＣＵという）５と、ブレーキ制御用ＥＣＵ５によって制御されるブレーキ駆動用アクチュエータ６が備えられている。
【００１６】
クルーズコンピュータ４は、例えば高速道路などにおけるクルーズ制御の際に、先行車両との距離を一定に保つようにエンジン制御、ブレーキ制御等の自動走行制御を行うものである。本実施形態の場合、このクルーズコンピュータ４は、ブレーキ制御用に演算した目標減速度に関する信号をブレーキ駆動用ＥＣＵ５に送る役割を果たす。このクルーズコンピュータ４から送られる目標減速度に関する信号が、自動ブレーキ装置の制御に使用される。
【００１７】
ブレーキ駆動用ＥＣＵ５は車両走行時と車両停止時における指示電流を演算すると共に、演算された指示電流をブレーキ駆動用アクチュエータ６に出力するようになっている。具体的には、ブレーキ駆動用ＥＣＵ５は図２のように構成されている。
【００１８】
図２に示すように、ブレーキ制御用ＥＣＵ５には、走行時ブレーキ圧演算部７、初期ブレーキ圧演算部８、絶対値演算部９、積分演算部１０、スイッチ部１１、指示電流演算部１２が備えられている。
【００１９】
走行時ブレーキ圧演算部７は、車両走行時におけるブレーキ圧の演算を行うもので、クルーズコンピュータ４から入力される目標減速度に関する信号に基づいて、目標減速度にするために必要とされるブレーキ圧の演算を行う。すなわち、車両走行時には、通常のクルーズ制御におけるブレーキ制御が成される。
【００２０】
初期ブレーキ圧演算部８は、車両停止時におけるブレーキ圧の演算を行うもので、クルーズコンピュータ４から入力される目標減速度に関する信号に基づき、車両停止時に必要とされる基準ブレーキ圧の演算を行う。この基準ブレーキ圧は、例えば、車両停車時における路面が平坦路である場合に必要とされるブレーキ圧に相当する。なお、この初期ブレーキ圧演算部８が初期ブレーキ圧演算手段に相当する。
【００２１】
絶対値演算部９は、加速度センサ２ａ〜２ｄでの検出に基づいて、加減速度の絶対値を演算するものである。この絶対値演算部９により、車両が停止している路面の勾配を検出する。すなわち、車両が停止している路面が平坦路である場合には、加速度センサ２ａ〜２ｄから重力の影響による出力が得られないが、坂路である場合には、加速度センサ２ａ〜２ｄに坂路の勾配に応じた重力が加えられ、加速度センサ２ａ〜２ｄから重力の影響による出力が得られることになるため、加速度センサ２ａ〜２ｄからの検出信号に基づいて坂路の勾配を検出することが可能となる。この絶対値演算部９が絶対値演算手段に相当する。
【００２２】
積分演算部１０は、絶対値演算部９での演算結果の積分を行う。この積分演算部１０での演算結果が初期ブレーキ圧演算部８での演算結果に加算されるようになっている。この積分演算部１０が積分演算手段に相当する。
【００２３】
スイッチ部１１は、車速に応じて、具体的には車両が停止しているか否かに応じて切替えられるようになっており、車両が停止していない場合（つまり車両走行時）には走行時ブレーキ圧演算部７での演算結果を採用し、停止している時には初期ブレーキ圧演算部８と積分演算部１０との演算結果を足し合せたものを採用するようになっている。
【００２４】
指示電流演算部１２は、走行時演算部７での演算結果、もしくは初期ブレーキ圧演算部８と積分演算部１０との演算結果を足し合せたものを目標ブレーキ圧として、目標ブレーキ圧に応じた指示電流の演算を行う。そして、この指示電流演算部１２による演算結果に応じた大きさの指示電流がブレーキ駆動用アクチュエータ６に流されるようになっている。なお、この指示電流演算部１２が指示電流演算手段に相当する。
【００２５】
また、ブレーキ駆動用アクチュエータ６は、例えば、油圧ブレーキの場合には、通電量に応じて電磁弁の開弁度を調整することでホイールシリンダ（以下、Ｗ／Ｃという）側に流動するブレーキ液量を調整するソレノイドで構成され、電気ブレーキの場合には、ブレーキパッドをブレーキディスク方向に移動させるためのモータによって構成される。このブレーキ駆動用アクチュエータ６は、ブレーキ駆動用ＥＣＵ５が出力する指示電流に基づいて駆動され、指示電流の大きさに応じたブレーキ力を発生させるようになっている。
【００２６】
続いて、図３に、上記構成の自動ブレーキ装置に備えられたブレーキ駆動用ＥＣＵ５によって実行される自動ブレーキ制御のフローチャートを示し、この図に基づいて自動ブレーキ制御の詳細について説明する。
【００２７】
まず、ステップＳ１００では、車両が停止中であるか否かを判定する。この処理は、例えば各車輪速度センサ２ａ〜２ｄでの検出結果から車輪速度が０であるか否かによって行われる。
【００２８】
ステップＳ１００で否定判定されればステップＳ１１０に進む。このステップでは、走行時ブレーキ圧演算部７にて、クルーズコンピュータ４から送られてきた目標減速度に関する信号に基づいて走行時ブレーキ圧の演算を行う。これにより、目標減速度となるのに必要とされる目標ブレーキ圧が演算される。そして、ステップＳ１５０に進む。
【００２９】
一方、ステップＳ１００で肯定判定されればステップＳ１２０に進み、絶対値演算部９にて、加速度センサ３での検出結果から加減速度の絶対値を演算する。これにより、車両が停止している路面が平坦路である場合には、加速度センサ３に重力の影響が現われず加減速度絶対値が０となり、坂路である場合には、加速度センサ３に重力の影響が現われ、坂路の勾配に応じた加減速度絶対値が得られる。
【００３０】
次に、ステップＳ１３０に進み、積分演算部１０にて、ステップＳ１２０で演算された加減速度絶対値を時間に対して積分する。この積分演算を行うと、車両が停止している路面が平坦路である場合には、時間経過があっても加減速度絶対値の積分値が０となるが、坂路である場合には、時間経過と共に加減速度絶対値の積分値が増大するという結果が得られる。
【００３１】
続いて、ステップＳ１４０に進み、初期ブレーキ圧演算部１０にて、クルーズコンピュータ４から送られてきた目標減速度に関する信号に基づき、初期ブレーキ圧の演算を行うと共に、この演算結果に対してステップＳ１３０で求められた加減速度絶対値の積分値を加算する。これにより、車両停止時に必要とされる基準ブレーキ圧が演算されると共に、車両が停止している路面が坂路である場合には加減速度絶対値の積分値分が加算され、車両が停止している路面の種別に応じた目標ブレーキ圧が演算される。そして、ステップＳ１５０に進む。
【００３２】
ステップＳ１５０では、指示電流演算部１２にて、ステップＳ１１０やステップＳ１４０で求められた目標ブレーキ圧に基づき、目標ブレーキ圧を得るために必要とされる指示電流値の演算を行う。その後、ステップＳ１６０に進み、ステップＳ１５０で演算された指示電流をブレーキ駆動用アクチュエータ６に出力する。
【００３３】
以上の処理により、車両が走行中および停止中における自動ブレーキ制御が成される。この制御を実行した際のタイミングチャートを、走行路面が平坦路である場合、坂路である場合、それぞれ図４（ａ）、（ｂ）に示す。
【００３４】
図４（ａ）に示されるように、車両走行路面が平坦路である場合には、まず走行中に目標減速度に応じた目標ブレーキ圧が演算されたのち、その目標ブレーキ圧に応じた指示電流が演算され、ブレーキ駆動用アクチュエータ６に出力される。このため、目標減速度に応じて車速が減少し車両が停止状態となる。このとき、車両が停止した路面も平坦路となることから、加速度センサ３に重力の影響が現われず、加減速度絶対値が０となるため、初期ブレーキ圧のみが目標ブレーキ圧となり、車両停止中一定のブレーキ圧が加えられる。
【００３５】
一方、図４（ｂ）に示されるように、車両走行路面が坂路である場合には、まず、上記平坦路の場合と同様に走行中の目標減速度に応じた目標ブレーキ圧および指示電流が演算され、ブレーキ駆動用アクチュエータ６に出力される。これにより、目標減速度に応じて車速が減少し車両が停止状態となる。このとき、車両が停止した路面が坂路となることから、加速度センサ３に重力の影響が現われ、坂路の勾配に応じた加減速度絶対値が得られる。このため、初期ブレーキ圧に加減速度絶対値の積分値を加算した分が目標ブレーキ圧となり、車両停止中に時間経過と共に目標ブレーキ圧が増大する。
【００３６】
このように、加速度センサ３の検出信号に基づくフィードバック制御を行い、車両が停止している路面が平坦路である場合には、過大なブレーキ圧を発生させないようにしつつ、坂路である場合には、発生させるブレーキ圧を平坦路の場合よりも増加させるようにしている。このため、坂路でのずり落ちを防止しつつ、ブレーキ部品の耐久性の低下の問題や消費電力増大の問題を解決することができる。
【００３７】
また、坂路である場合に、加速度センサ３にかかる重力に基づいて増大させるブレーキ圧を変化させているため、坂路の勾配に応じてブレーキ圧の増大量を変化させることができる。このため、より好適に坂路でのずり落ちを防止することができると共に、ブレーキ部品の耐久性の低下の問題や消費電力増大の問題を解決することができる。
【００３８】
なお、上記説明では、加減速度絶対値の積分値をずっと初期ブレーキ圧に加算するようにしているが、車両停止時間が長く、目標ブレーキ圧が過大となってしまうような場合には、上限値設定手段を備え、図４（ｂ）中の点線で示したように目標ブレーキ圧に上限値を設けておくことで、目標ブレーキ圧が過大となることを防止することも可能である。
【図面の簡単な説明】
【図１】本発明の第１実施形態における自動ブレーキ装置の概略構成を示す図である。
【図２】図１に示すブレーキ駆動用ＥＣＵ５の具体的な構成を示す図である。
【図３】図２に示すブレーキ駆動用ＥＣＵ５が実行する自動ブレーキ制御処理の詳細を示すフローチャートである。
【図４】図３に示す自動ブレーキ制御処理を実行した時のタイミングチャートであり、（ａ）は平坦路を走行しているときのタイミングチャート、（ｂ）は坂路を走行しているときのタイミングチャートである。
【符号の説明】
２ａ〜２ｄ…車輪速度センサ、３…加速度センサ、
４…クルーズコンピュータ、５…ブレーキ駆動用ＥＣＵ、
６…ブレーキ駆動用アクチュエータ、７…走行時ブレーキ圧演算部、
８…初期ブレーキ圧演算部、９…絶対値演算部、１０…積分演算部、
１２…指示電流演算部。
【図１】
0004501274.tif 000002
【図２】
0004501274.tif 000003
【図３】
0004501274.tif 000004
【図４】
0004501274.tif 000005